(57)【要約】【課題】パチンコ機等の遊技機において、興趣の飛躍的な向上を図る。【解決手段】パチンコ機１の遊技盤５には、その略中央部において可変表示装置１４が取着されている。可変表示装置１４は、液晶表示部２０と、該液晶表示部２０を囲むようにして設けられたセンターフレーム２１とを有している。センターフレーム２１には、その下部においてステージ部が取着されるとともに、右側部には透明又は半透明の流路カバーが取着され、当該流路カバーの背面側においてステージ部へ遊技球Ｂを案内可能な球案内流路が形成されている。流路カバーには前記球案内流路に沿って延び、かつ、並行した複数のレンズ部が設けられている。そして、遊技者は当該レンズ部を介して流路カバーの後方に配設されたＬＥＤの発光を視認することができる。【選択図】　　　　　図１
2004057265.tif 000002
【特許請求の範囲】
【請求項１】
所定の照射手段と、当該照射手段を覆う透光カバーとを備えた遊技機において、
前記透光カバーは、その透光面において、並行して延在する複数のレンズ部を備えていることを特徴とする遊技機。
【発明の詳細な説明】
【０００１】
【発明の属する技術分野】
本発明は、パチンコ機等の遊技機に関するものである。
【０００２】
【従来の技術及び発明が解決しようとする課題】
従来、遊技機の一種として、ランプ、ＬＥＤ等を有する照射手段が設けられたパチンコ機が知られている。所定の照射手段は透光性のある樹脂等により形成された透光カバーにより覆われており、遊技者には透光カバーを透過した光が視認されるようになっている。透光カバーの透光面（光の入射面や出射面）は、比較的広範囲にわたって境界部のない略面一な表面形状となっている。
【０００３】
しかしながら、上記構成では、比較的広範囲において光をより均等に出射させるため、照射手段から照射される光は多方向へ拡散されやすく、遊技者の視認する光が比較的輝度の低いぼやけた光となってしまうおそれがあった。結果として、光による装飾効果や演出効果等が低減され、遊技者にとっての興趣の向上を妨げるおそれがあった。
【０００４】
本発明は、上述した問題に鑑みてなされたものであって、その目的は、光による装飾効果や演出効果を高め、遊技者にとってのさらなる興趣の向上を図ることのできる遊技機を提供することを目的とする。
【０００５】
【課題を解決するための手段及び発明の効果】
上記の目的を達成するために有効な手段を以下に示す。なお、必要に応じてその作用等についても説明する。
【０００６】
手段１．所定の照射手段と、当該照射手段を覆う透光カバーとを備えた遊技機において、
前記透光カバーは、その透光面において、並行して延在する複数のレンズ部を備えていることを特徴とする遊技機。
【０００７】
上記手段１によれば、透光カバーの透光面において、並行して延在する複数のレンズ部が形成されている。このため、各レンズ部間に境界部が形成され、照射手段から照射される光は各レンズ部の長手方向と交差する方向へは拡散されにくくなる。つまり、所定方向への光の拡散が抑制され、各レンズ部を介して光が出射されやすくなる。結果として、各レンズ部を介してより輝度の高い光を遊技者に視認させることができ、光による装飾効果や演出効果を高め、遊技者にとってのさらなる興趣の向上を図ることができる。一方、各レンズ部の長手方向と交差する方向の幅が極端に狭かったり、レンズ部の数が多いことで、透光カバーにおける境界部の占める割合が極端に多くなったりすると、レンズ部から出射される光量が低減され、却って装飾効果が低減されてしまうおそれがある。この点を鑑みると、上述したように比較的輝度の高い光を出射しつつ、ある程度の光量を維持するためには、境界部の幅に比べて、比較的幅の広いレンズ部とすることが好ましく、各レンズ部は、その少なくとも一部において、照射手段の発光部例えばＬＥＤ等の幅より少なくとも幅広であることがより好ましい。そこで、本手段にあっては、上記「並行して延在する複数のレンズ部」には、「並行して延在する複数の細長い凸部又は凹部」等のように、いわゆるレンズ部として機能しない微細な幅の、或いは、線状の凸部又は凹部によって構成されたものは含まれないものとする。レンズ部の幅に関する記述については以下の手段においても同様とする。なお、上記「並行して」には、平行であるなしに関わらず、交差せずに並んでいる状態が含まれる（以下の手段において同様とする）。
【０００８】
手段２．遊技球を発射する発射手段と、
発射された遊技球が案内される所定の遊技領域を有する遊技盤と、
前記遊技盤面上において特定遊技部材とを備えた遊技機において、
前記特定遊技部材は、その略中央部において前後方向に貫通した窓枠部を有し、前記窓枠部の周縁部の少なくとも一部において前方に向け光を照射する照射手段と、当該照射手段の前面側に配置される透光カバーとを備え、
前記透光カバーは、その透光面において、並行して延在する複数のレンズ部を備えていることを特徴とする遊技機。
【０００９】
上記手段２によれば、透光カバーの透光面において、並行して延在する複数のレンズ部が形成されている。このため、各レンズ部間に境界部が形成され、照射手段から照射される光は各レンズ部の長手方向と交差する方向へは拡散されにくくなる。つまり、所定方向への光の拡散が抑制され、各レンズ部を介して光が出射されやすくなる。結果として、各レンズ部を介してより輝度の高い光を遊技者に視認させることができ、光による装飾効果や演出効果を高め、遊技者にとってのさらなる興趣の向上を図ることができる。なお、前記特定遊技部材には、識別情報を変動表示可能な表示部の周囲を囲むセンターフレームが含まれる。
【００１０】
手段３．手段２において、前記各レンズ部は、前記周縁部の周方向に沿って延在することを特徴とする遊技機。
【００１１】
上記手段３によれば、レンズ部は、窓枠部の周縁部に沿って延在しているため、その長さを比較的長いものとすることができる。このため、比較的広範囲にわたって光を出射させることができ、結果として、光による装飾効果や演出効果を高め、遊技者にとってのさらなる興趣の向上を図ることができる。
【００１２】
手段４．手段３において、前記複数のレンズ部は、前記窓枠部により近いレンズ部の方がより後方に位置するように構成されていることを特徴とする遊技機。
【００１３】
上記手段４によれば、複数のレンズ部は、窓枠部から離れていくにつれより前方に位置していることとなるため、遊技者は窓枠部の前方付近から見てより外側のレンズ部を視認しやすくなる、ひいてはそこを介して出射される光を視認しやすくなり、さらなる興趣の向上を図ることができる。
【００１４】
手段５．手段３又は手段４において、前記各レンズ部は、前記周縁部の周方向に沿って湾曲していることを特徴とする遊技機。
【００１５】
上記手段５によれば、レンズ部は、窓枠部の周縁部の周方向に沿って湾曲しているため、遊技者は窓枠部の前方付近から見てレンズ部全域を略均等に視認しやすくなる、ひいてはそこを介して出射される光を視認しやすくなり、さらなる興趣の向上を図ることができる。
【００１６】
手段６．手段２乃至手段５のいずれかにおいて、前記特定遊技部材は、遊技球の転動を許容する転動部を備え、
前記照射手段は、光を発する発光部と、当該発光部を覆う透光パネルとにより構成され、
前記透光カバー及び透光パネルによって、前記転動部へ遊技球を案内可能な球案内流路の少なくとも一部が構成されていることを特徴とする遊技機。
【００１７】
上記手段６によれば、球案内流路の少なくとも一部が透光カバー及び透光パネルによって構成されている。このため、遊技者は照射手段からの光により球案内流路を通過する遊技球を視認しやすくなり、興趣の向上が図られる。
【００１８】
手段７．手段１乃至手段６のいずれかにおいて、前記遊技機はパチンコ機であること。中でも、パチンコ機の基本構成としては、操作ハンドルを備えておりそのハンドル操作に応じて遊技球を所定の遊技領域に発射させ、遊技球が遊技領域内の所定の位置に配置された入賞手段に入賞することに基づいて、特定条件が成立した場合には特別遊技価値が付与される。
【００１９】
手段８．手段１において、遊技機はスロットマシンであること。ここで、スロットマシンの構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技価値を付与する遊技価値付与手段を備えたスロットマシン」となる。なお、スロットマシンにあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００２０】
手段９．手段１において、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技価値を付与する遊技価値付与手段とを備え、遊技媒体として遊技球を使用するとともに、前記識別情報の変動開始に際しては所定数の遊技球を必要とし、特別遊技価値としての特別遊技状態の発生に際しては多くの遊技球が払い出されるよう構成されてなる遊技機」となる。なお、かかる遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００２１】
手段１０．手段１乃至手段９のいずれかにおいて、前記透光カバーの前面側において、前記レンズ部の各境界部に沿って段差部が形成され、
前記段差部には、光の出射を抑える光抑制手段が設けられていることを特徴とする遊技機。
【００２２】
上記手段１０によれば、光抑制手段によって段差部から出射される光の割合が減り、より効率よくレンズ部より光が出射される。また、「前記光抑制手段は、前記段差部において形成された複数の凸部又は凹部であること」としてもよい。例えば段差部において複数の略半球状の凸部又は凹部を設けた構成としてもよい。また、「前記光抑制手段は、前記段差部において交差するように形成された複数の線状凸部又は線状凹部であること」としてもよい。例えば段差部においてランダムに又は格子状に交差する複数の線状凸部又は線状凹部を設けた構成としてもよい。
【００２３】
手段１１．手段１０において、前記光抑制手段は、前記段差部において前後方向に並行して延びるように形成された複数の線状凸部又は線状凹部であることを特徴とする遊技機。
【００２４】
上記手段１１によれば、前記照射手段からの光が線状凸部又は線状凹部の境界面によって反射されるため、段差部から出射される光の割合が減り、より効率よくレンズ部より光が出射される。また、線状凸部とした場合には、段差部の撓み応力等に対し補強も発揮される。
【００２５】
手段１２．手段１乃至手段１０のいずれかにおいて、前記透光カバーの少なくとも一側部において、前記レンズ部に沿って側壁部が形成され、
前記側壁部には、前後方向に延びる複数の線状凸部又は線状凹部が形成されていることを特徴とする遊技機。
【００２６】
上記手段１２によれば、上記手段１１と同様の効果を奏する。
【００２７】
手段１３．手段１乃至手段１２のいずれかにおいて、前記透光カバーの背面側において、前記各レンズ部の境界部に沿ってリブが突設されていることを特徴とする遊技機。
【００２８】
上記手段１３によれば、前記照射手段からの光がリブによって反射されるため、レンズ部の長手方向と交差する方向へ光が拡散されにくく、より効率よくレンズ部より光が出射される。また、遊技者はリブによって反射した光も視認することとなる。結果として、遊技者に視認される光の態様が多様化され、光による装飾効果が増す。
【００２９】
手段１４．手段１乃至手段１３のいずれかにおいて、少なくとも１つの前記レンズ部の入射面側には、その長手方向に沿って少なくとも１つの線状溝部が形成されていることを特徴とする遊技機。
【００３０】
上記手段１４によれば、さらに光が各レンズ部の長手方向と交差する方向へは拡散されにくくなる。
【００３１】
手段１５．手段１乃至手段１４のいずれかにおいて、前記各レンズ部は、その長手方向に対する横断面形状が凸状となる凸レンズであって、前記凸レンズの表面が断面略円弧形状に構成されていることを特徴とする遊技機。
【００３２】
上記手段１５によれば、遊技者が各レンズをどの角度から見ても、ほぼ同じように光を視認することができる。
【００３３】
【発明の実施の形態】
以下、パチンコ遊技機（以下、単に「パチンコ機」という）の一実施の形態を、図面に基づいて詳細に説明する。
【００３４】
図１に示すように、パチンコ機１は、外枠２と、該外枠２の前部に設けられ外枠２の一側部にて開閉可能に支持された前面枠３とを備えている。
【００３５】
前面枠３の前面側にはガラス扉枠４が開閉自在に設けられている。前面枠３の後側（ガラス扉枠４の奥、外枠２の内側）には、遊技盤５が着脱可能に装着されている。
【００３６】
ガラス扉枠４の下方には、遊技球Ｂを貯留するための球受皿としての上皿６が設けられている。また、前面枠３の前面下部には、ほぼ中央部において球受皿としての下皿７が設けられている。下皿７の側方には、遊技球発射用ハンドル８が設けられている。ハンドル８は図示しない発射手段としての遊技球発射装置に連結されており、遊技者がハンドル８を回転させることにより、遊技球Ｂが遊技球発射装置から発射される。
【００３７】
遊技盤５には、ルータ加工が施されることによって複数の開口部が形成されており、各開口部には、普通入賞チャッカー１１、可変入賞装置１２、入賞手段としての作動チャッカー１３、可変表示装置１４、スルーチャッカー１５等が配設されている。
【００３８】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００３９】
さて、可変表示装置１４は、表示部としての液晶表示部２０と、該液晶表示部２０を囲むように設けられた特定遊技部材としてのセンターフレーム２１とを備えている。
【００４０】
液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００４１】
より詳しくは、可変表示装置１４の下方に設けられた作動チャッカー１３に遊技球Ｂが入球することに基づいて、可変表示装置１４の液晶表示部２０の図柄が可変表示される。そして、特定条件が成立し、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。
【００４２】
また、周知のとおり、前記普通入賞チャッカー１１、可変入賞装置１２、作動チャッカー１３に遊技球Ｂが入球することに基づいて、上皿６又は下皿７に対し所定数の景品球（遊技球Ｂ）が払い出される。また、遊技盤５には、遊技球Ｂの流下方向を適宜分散、調整等するために多数の釘（但し便宜上、符号を省略する）が植設されているとともに、風車等の各種部材（役物）が配設されている。
【００４３】
次に、上記センターフレーム２１について図２乃至図４を参照しつつ説明する。センターフレーム２１は、中央部が前後方向に貫通した前ベース枠２２及び後ベース枠２３を備え、全体として枠体形状となっている。
【００４４】
後ベース枠２３の中央部には前記液晶表示部２０に対応した略矩形状の窓枠部２４が形成されている。窓枠部２４の周囲には、その前端部から遊技盤５に沿って略平板状の上板部２５、右板部２６、左板部２７及び下板部２８が延出されている。
【００４５】
上板部２５は、その左側周縁部が窓枠部２４の左上端部近傍から上方に向かって延び、上側周縁部が窓枠部２４の左端部近傍から左右方向略中央部までの範囲にかけてほぼ窓枠部２４の上辺部に沿って形成され、右側周縁部が前記上側周縁部の右端部近傍から窓枠部２４の右上端部近傍に向けて下方に傾斜しているように形成されている。
【００４６】
右板部２６は、その上側周縁部が上板部２５の右側周縁部から連なって右方向に向かって下方へ傾斜し、右側周縁部が上側周縁部の右端部から窓枠部２４の右下端部近傍に向けて緩やかに湾曲しているように形成され、全体として下方に向かうにつれ先細りした形状となっている。
【００４７】
左板部２７は、その上側周縁部が窓枠部２４左上端部近傍から左方向に向かって延び、左側周縁部が窓枠部２４の上端部近傍から上下方向略中央部をやや過ぎた位置までの範囲においてほぼ窓枠部２４の左辺部に沿って形成され、下側周縁部が左側周縁部の下端部から窓枠部２４の左下端部近傍に向けて緩やかに湾曲しているように形成されている。
【００４８】
下板部２８の下側周縁部は左右両板部２６，２７の周縁部から連なるように下に凸の略円弧形状となっている。
【００４９】
さて、右板部２６には前後方向に貫通した右開口部３０が設けられている。右開口部３０は右板部２６のに対しかなりの領域を占め、その形状も右板部２６と略同一形状となっている。右開口部３０には当該右開口部３０と略相似形状の右透光パネル３１が取着されている。右透光パネル３１は、略同一形状の前パネル３２、後パネル３３及び保護パネル３４が重ね合わされた複層構造となっている。重ね合わせの順序は前方より保護パネル３４、前パネル３２、後パネル３３の順となっている。各パネル３２，３３，３４は、本実施の形態においては透光性を有する透明又は半透明の樹脂により形成されている。但し、前パネル３２、後パネル３３は、透光性を有する部材で有れば、樹脂に限らず他の材質のもの例えばガラス等でもよい。
【００５０】
図５に示すように、前パネル３２の前面側（光の出射面側）、後パネル３３の背面側（光の入射面側）には、それぞれ複数の直線状凸部３５が設けられている。本実施の形態では、前後両パネル３２，３３における各直線状凸部３５はその断面形状が略半円形状をなし、所定方向に沿って延びている。詳しくは、前パネル３２では、鉛直方向に対して斜め４５度左下がりの傾きに沿って延びた複数の直線状凸部３５が列状に並んでいる。後パネル３３では、鉛直方向に対して斜め４５度右下がりの傾きに沿って延びた複数の直線状凸部３５が列状に並んでいる。従って、前後両パネル３２，３３が重ね合わされた状態では、前後両パネル３２，３３に設けられた直線状凸部３５は互いに略直交した状態となる。なお、前後両パネル３２，３３における直線状凸部３５の配列ピッチは後述する発光部としてのＬＥＤ４３の大きさと比較してより微細なものとなっている。
【００５１】
同様に、左板部２７にも左開口部３７が設けられ、当該左開口部３７には左透光パネル３８が取着されている。なお、左透光パネル３８の構成は、上記右透光パネル３５と略同一のためその説明を省略する。
【００５２】
一方、後ベース枠２３の背面側には各種電飾部材が取着されている。詳しくは、右板部２６の背面側には電飾部材を配設するための右側部取付部材４０が取着されている。右側部取付部材４０は、電飾部材が係止される係止板４１と、当該係止板４１から前方に向けて突出した複数の支柱部４２とを有している。右側部取付部材４０は、各支柱部４２の先端が右板部２６の背面に当接した状態で所定の固定手段により固定されている。従って、電飾部材が前記右透光パネル３１から所定間隔をおいて配置されることとなる。本実施の形態では、電飾部材として、係止板４１の前面側において複数のＬＥＤ４３を有する右側部ＬＥＤ基板４４が取着されている。
【００５３】
一方、左板部２７の背面側にも同様に、左側部ＬＥＤ基板４５が左側部取付部材４６を介して取着されている。従って、左側部ＬＥＤ基板４５も同様に左透光パネル３８から所定間隔をおいて配置されることとなる。
【００５４】
さらに、上板部２５の右側周縁部及び右板部２６の上側周縁部の上方の後方位置において、右上側部ＬＥＤ基板４７が右上部取付部材４８を介して取着されている。なお、右上部取付部材４８も係止板５０及び複数の支柱部４９を有しており、各支柱部４９の先端は上板部２５又は右板部２６の背面に当接状態で固定されている。また、右上部取付部材４８の係止板５０は、前記右側部取付部材４０の係止板４１と略面一となるように配置されている。従って、右上部ＬＥＤ基板４７の配置位置と、右側部ＬＥＤ基板４４の配置位置とは前後方向に略同一位置となっている。
【００５５】
さて、前ベース枠２２は、その下部において上記遊技盤５の開口部にはめ込まれる嵌込み部５１と、その上部において嵌込み部５１と連なった上梁部５２とを備えている。嵌込み部５１は、右板部２６の右側周縁部、左板部２７の左側周縁部及び下板部２８の下側周縁部に沿って形成され、略Ｕ字形状となっている。嵌込み部５１及び上梁部５２の周囲には遊技盤５面上に配設される複数のフランジ部５３が形成されている。
【００５６】
上梁部５２は、その両側部が嵌込み部５１の左右両端部より略上方に向かって延出され、その中央部が上に凸の略円弧形状となっている。上梁部５２の前面側には、当該上梁部５２のほぼ全域において、前方に向けて突出した天井部５４が設けられている。天井部５４の頂上部には遊技球Ｂが通過可能な開口部５５が形成されている。
【００５７】
上梁部５２の左側部には内方向に延出された下垂部５７が設けられている。下垂部５７の下側周縁部は、上梁部５２の左端部近傍から右方向に向けて延び、右方向に向かうにつれ上方に向けて緩やかに湾曲し、さらに右方向に向かうにつれ徐々にその傾きが略水平方向、斜め右下方向へとなるように緩やかに湾曲した形状となっており、その右端部が前記開口部５５の右端部の下方位置をやや越えた位置まで達している。また、開口部５５の右端部近傍から下方へ延出された下垂部５７の右側周縁部は、所定位置より前記下側周縁部の右端部に向けて斜め右下がりに傾斜している。
【００５８】
下垂部５７の前面側には各種役物が取着され、背面側には前記役物を駆動させる駆動機構が設けられている。詳しくは、図６に示すように、下垂部５７の背面側には取付凹部６０が形成されている。取付凹部６０内には駆動伝達部材６１が左右方向に摺動可能に取着されている。駆動伝達部材６１は、上下方向に延びる縦軸部６２と、縦軸部６２の下端部より左側（図６における右側）へ摺動方向に沿って延びる左操作部６３と、縦軸部６２の上端部より右側へ摺動方向に沿って延びる右操作部６４とから構成されている。
【００５９】
縦軸部６２には前後方向に貫通し上下方向に長い縦長孔６５が設けられている。左操作部６３と右操作部６４にはそれぞれ前後方向に貫通し摺動方向に長い左長孔６６、右長孔６７が形成されている。当該長孔６６，６７にはそれぞれ下垂部５７の背面側から突出したボス６９，７０が差し込まれている。
【００６０】
下垂部５７には、ボス６９の左側、ボス７０の右側においてそれぞれ前後方向に貫通し摺動方向に長い略円弧状の左円弧長孔７１、右円弧長孔７２が形成されている。各円弧長孔７１，７２は下に凸となる円弧形状となっている。
【００６１】
円弧長孔７１，７２に対応するように、左操作部６３及び右操作部６４の先端部にはそれぞれ前後方向に貫通し上下方向に長い左端長孔７３、右端長孔７４が形成されている。
【００６２】
下垂部５７の背面側には、前記取付凹部６０を覆い、駆動伝達部材６１の脱落を防止する取付カバー７５が取着されている（図２等参照）。取付カバー７５には、上記縦軸部６５の位置に対応して前後方向に貫通した略円形の開口部７５ａが形成されている。
【００６３】
取付カバー７５の背面側には開口部７５ａの後方においてモータ７６が取着されている。モータ７６の回転軸の先端部には開口部７５ａに差し込まれる円盤体７７が取着されている。円盤体７７の前面側にはモータ７６の回転軸線上から外れた位置において前方へ突出した棒状凸部７８が設けられている。棒状凸部７８は上記縦長孔６５に差し込まれている。
【００６４】
一方、下垂部５７の前面側には複数の薄板状の装飾パネル８０が取着され、その前面側には宇宙船をモチーフとした複数の役物が取着されている。上記左円弧長孔７１、右円弧長孔７２の位置に対応してそれぞれ大宇宙船役物８１、中宇宙船役物８２が回動可能に軸支されている。なお、各装飾パネル８０には左円弧長孔７１、右円弧長孔７２に対応した図示しない孔部が形成されている。さらに、中宇宙船役物８２の右側には小宇宙船役物８３が取着されている。下垂部５７の前面側には、透明又は半透明の役物カバー８５が取着されている。役物カバー８５は、下垂部５７と略同一形状で断面凹形状に構成されており、その右側壁部８６は下垂部５７の右側周縁部に沿って傾斜している。
【００６５】
ここで大宇宙船役物８１及び中宇宙船役物８２に関連した構成部分について詳しく説明する。大宇宙船役物８１及び中宇宙船役物８２の上部にはそれぞれ前後方向に貫通した軸孔８７，８８が形成されている。軸孔８７，８８にはそれぞれ軸棒８９，９０が差し込まれている。下垂部５７の前面側及び役物カバー８５の背面側には、軸棒８９を受ける一対の軸受け部９１，９２、軸棒９０を受ける一対の軸受け部９３，９４がそれぞれ相対向するように形成されている。
【００６６】
大宇宙船役物８１及び中宇宙船役物８２の背面側には、それぞれ軸孔８７，８８の下方において、上記左円弧長孔７１、右円弧長孔７２の位置に対応するように棒状の操作子９５，９６が後方に向けて突出形成されている。操作子９５，９６はそれぞれ左円弧長孔７１、右円弧長孔７２を介して上記左端長孔７３、右端長孔７４に差し込まれている。
【００６７】
上記構成に基づき、モータ７６が回転すると、この回転動作が円盤体７７を介して駆動伝達部材６１に伝達され、駆動伝達部材６１が左右方向に往復動する。そして、駆動伝達部材６１の往復動作が操作子９５，９６を介して大宇宙船役物８１、中宇宙船役物８２に伝達される。大宇宙船役物８１、中宇宙船役物８２は軸棒８９，９０を中心に往復回動する。
【００６８】
さて、下垂部５７の下部には、前ベース枠２２の左右方向略中央部において報知表示部１００が取着されている。報知表示部１００は、下垂部５７に固定された基部１０１と、基部１０１の前面側に取着された透光性レンズ１０２と、透光性レンズ１０２の前面側を覆う被覆部１０３と、基部１０１の背面側に取着された報知用ＬＥＤ基板１０４とにより構成されている。
【００６９】
報知用ＬＥＤ基板１０４には複数のＬＥＤ１０５が設けられている。基部１０１には各ＬＥＤ１０５に対応した複数の孔部１０６が形成され、透光性レンズ１０２の前面側には各ＬＥＤ１０５に対応して複数の絵柄が象られている。被覆部１０３には前記各絵柄と略同一形状の絵柄孔１０７が形成されている。
【００７０】
下垂部５７の右側には、上記嵌込み部５１の右端部より上記右板部２６の上側周縁部に沿って延出された天板部１１０が設けられている。天板部１１０の先端部は下垂部５７の右端部に連接されている。天板部１１０の略中央部には上下方向に貫通した監視孔１１２が形成されている。これにより、下垂部５７の右側において長窓部１１３が形成される。長窓部１１３は上記右上部ＬＥＤ基板４７の前方に位置している。
【００７１】
長窓部１１３には当該長窓部１１３と略同一形状の右上透光パネル１１５が取着されている。なお、右上透光パネル１１５の構成は、上記右透光パネル３１や左透光パネル３８とほぼ同様のためその説明を省略する。
【００７２】
さて、前ベース枠２２の右側部には、前記右透光パネル３１及び右上透光パネル１１５の前面側を覆うように透光性（内部視認性）を有する透明又は半透明のレンズカバー１１７が取着されている。レンズカバー１１７は本実施の形態における透光カバーを構成する。本実施の形態では、レンズカバー１１７と、右透光パネル３１及び右上透光パネル１１５とよって囲まれた空間部分によって、上記開口部５５を通過した遊技球Ｂをセンターフレーム２１下部へと案内する球案内流路が形成される。また、右透光パネル３１と右上透光パネル１１５、及び、発光部としての複数のＬＥＤ４３を有する右側部ＬＥＤ基板４４と右上側部ＬＥＤ基板４７によって、本実施の形態における照射手段が構成されている。
【００７３】
レンズカバー１１７は、その前面部において、前ベース枠２２の右内側部に沿って湾曲形成された右レンズ部１１８と、右レンズ部１１８の左側部に沿って形成された中レンズ部１１９と、中レンズ部１１９の左側部に沿って形成された左レンズ部１２０とを有している。
【００７４】
各レンズ部１１８，１１９，１２０は、その上端部が上記天井部５４にまで達しており、左右方向の幅が下方に向かうにつれ先細りしている。右レンズ部１１８及び中レンズ部１１９の下端部は上記窓枠部２４の右下端部近傍にまで達しており、左レンズ部１２０の下端部は右中レンズ部１１８，１１９の下端部よりやや上方に位置している。
【００７５】
各レンズ部１１８，１１９，１２０は、その長手方向に対する横断面形状が凸状となる凸レンズであって、当該凸レンズの表面が断面略円弧形状に構成されている。
【００７６】
また、前後方向に対して、各レンズ部１１８，１１９，１２０は、下方に向かうにつれその前面部がより後方へ位置するように緩やかに湾曲している。各レンズ部１１８，１１９，１２０の上端部近傍における前面部は天井部５４の前端部近傍に位置している。右レンズ部１１８及び中レンズ部１１９の下端部は窓枠部２４の前後方向略中央部に位置しており、左レンズ部１２０の下端部は右板部２６の前面部近傍に位置している。
【００７７】
左レンズ部１２０の左側部には、当該左側部から後方へ延出された左側壁部１２１が設けられている。左側壁部１２１の外面には前後方向に沿って延びた複数の線状凸部１２２が列状に並んで形成されている。各線状凸部１２２はその長手方向に対する横断面形状が略三角形状となっている。なお、これに限らず、横断面形状が略半円形状となる構成としてもよい。線状凸部１２２は、本実施の形態における光抑制手段を構成する。
【００７８】
左側壁部１２１は、上記下垂部５７の右端部（上記天板部１１０）より上部分が下垂部５７の形状に合わせて切り欠かれ当該下垂部５７に当接し、それより下部分が前記右板部２６に当接している。
【００７９】
左レンズ部１２０の右側部と中レンズ部１１９の左側部との間には段差が形成されており、中レンズ部１１９がより前方に位置している。当該段差部分には段差部としての中側壁部１２３が形成されている。
【００８０】
同様に、中レンズ部１１９の右側部と右レンズ部１１８の左側部には段差が形成されており、右レンズ部１１８がより前方へ位置している。当該段差部分には段差部としての右側壁部１２４が形成されている。また、中右側壁部１２３，１２４の外面には、左側壁部１２１同様に、複数の線状凸部１２２が形成されている。なお、中側壁部１２３の下端部は遊技球Ｂが通過可能なように切り欠かれている。
【００８１】
左レンズ部１２０の上端部には、上記天井部５４と役物カバー８５との前面側の隙間を覆う被覆部１２５が設けられている。
【００８２】
レンズカバー１１７の背面側には、右レンズ部１１８及び中レンズ部１１９を仕切る右リブ１２６と、中レンズ部１１９及び左レンズ部１２０を仕切る左リブ１２７とが設けられている。これにより、レンズカバー１１７には、右レンズ部１１８、中レンズ部１１９、左レンズ部１２０の背面側において、それぞれ遊技球Ｂが通過可能な右溝部１２８、中溝部１２９、左溝部１３０が形成される。また、中レンズ部１１９の入射面側（背面側）には、その長手方向に沿って３つの線状溝部１１９ａ，１１９ｂ，１１９ｃが形成されている。
【００８３】
右リブ１２６及び左リブ１２７は、上記天板部１１０より上部分が切り欠かれ上記右上透光パネル１１５に当接し、それより下部分の一部が上記右透光パネル３１（保護パネル３４）に当接している。
【００８４】
右リブ１２６の長手方向略中央部より下部全域が切り欠かれ、右溝部１２８と中溝部１２９との間を遊技球Ｂが通過可能となっている。また、左リブ１２７の下端部近傍における一部分が切り欠かれ、中溝部１２９と左溝部１３０との間を遊技球Ｂが通過可能となっている。
【００８５】
一方、保護パネル３４の前面側には、右リブ１２６及び左リブ１２７の切り欠き部分に対応して、誘導リブ１３３と規制リブ１３４とが設けられている。誘導リブ１３３は、遊技球Ｂを左溝部１３０から中溝部１２９へと誘導可能なように段階的にその傾斜角度を変化させつつ右下がりに形成されている。規制リブ１３４は、誘導リブ１３３によって誘導される遊技球Ｂの右方向へ動きを規制するように上下方向に沿って形成されている。
【００８６】
上記構成により、上記開口部５５を通過した遊技球Ｂは、上記役物カバー８５の右側壁部８６に沿って右方向へ流下し、左溝部１３０内へと導かれる。そして、遊技球Ｂは左溝部１３０に沿って流下し、遊技球Ｂは誘導リブ１３３及び規制リブ１３４によって中溝部１２９へと導かれる。そして、遊技球Ｂは右溝部１２８又は中溝部１２９に沿って流下し、上記中側壁部１２３の切り欠き部より後述する転動部としてのステージ部１４５へと排出される。
【００８７】
一方、後ベース枠２２の左板部２７（左透光パネル３８）の前面側には、装飾カバー１３８が取着されている。装飾カバー１３８は、上記レンズカバー１１７の下部と略左右対称形状となっている。
【００８８】
さて、嵌込み部５１の下部には、上記下板部２８の下側周縁部の形状に合わせて凹部１４０が形成されている。凹部１４０の左右方向略中央部には、遊技球Ｂを上記作動チャッカー１３の方へ誘導可能な誘導路１４１が形成されている。誘導路１４１は、後部が遊技球Ｂほぼ１つ分の幅に、前部が遊技球Ｂ複数個分の幅に構成されている。また、誘導路１４１の前端部には遊技球Ｂが通過可能な開口部１４２が形成されている。
【００８９】
嵌込み部５１の下部には、凹部１４０を覆うステージ部材１４５が取着されている。ステージ部１４５は、左右方向に沿って左右両端部から中央部に向かうにつれ下方へ傾斜し、さらに中央に向かうにつれ上方へ傾斜し、左右方向中央部が凸状に形成されている。当該左右方向中央部（頂上部）には後方に向けて傾斜した傾斜部１４６が形成されている。一方、後ベース枠２３には、傾斜部１４６に対応するように、窓枠部２４及び下板部２８の左右方向略中央部において誘導溝１４７が形成されている。誘導溝１４７は誘導路１４１の後部に連通している。
【００９０】
上記構成により、例えば上記球案内流路より排出された遊技球Ｂはステージ部材１４５上を転動する。一部の遊技球Ｂは傾斜部１４６、誘導溝１４７及び誘導路１４１を通って上記作動チャッカー１３の方へ誘導される。
【００９１】
以上詳述したように、レンズカバー１１７の透光面において、並行して延在する複数のレンズ部１１８，１１９，１２０が形成されている。このため、各レンズ部１１８，１１９，１２０間に境界部が形成され、照射手段から照射される光は各レンズ部１１８，１１９，１２０の長手方向と交差する方向へは拡散されにくくなる。つまり、所定方向への光の拡散が抑制され、各レンズ部１１８，１１９，１２０を介して光が出射されやすくなる。結果として、各レンズ部１１８，１１９，１２０を介してより輝度の高い光を遊技者に視認させることができ、光による装飾効果や演出効果を高め、遊技者にとってのさらなる興趣の向上を図ることができる。
【００９２】
右レンズ部１１８、中レンズ部１１９、左レンズ部１２０の順に（窓枠部２４により近いレンズ部の方が）より後方に位置するように構成されている。このため、遊技者は窓枠部２４の前方付近から見てより外側のレンズ部を視認しやすくなる、ひいてはそこを介して出射される光を視認しやすくなり、さらなる興趣の向上を図ることができる。
【００９３】
レンズカバー１１７及び透光パネル３１，１１５によって、ステージ部１４５へ遊技球Ｂを案内可能な球案内流路が構成されている。このため、遊技者はＬＥＤ４３からの光により球案内流路を通過する遊技球Ｂを視認しやすくなり、興趣の向上が図られる。
【００９４】
各レンズ部１１８，１１９，１２０は、窓枠部２４の周縁部に沿って湾曲している。このため、遊技者は窓枠部２４の前方付近から見て各レンズ部１１８，１１９，１２０全域を視認しやすくなる、ひいてはそこを介して出射される光を視認しやすくなり、さらなる興趣の向上を図ることができる。
【００９５】
レンズカバー１１７の左側部において、左側壁部１２１が形成されるとともに、レンズカバー１１７の前面側において、各レンズ部１１８，１１９，１２０の各境界部に沿って側壁部１２３，１２４が形成され、各側壁部１２１，１２３，１２４には、前後方向に延びる複数の線状凸部１２２が形成されている。これにより、ＬＥＤ４３からの光が線状凸部１２２の境界面によって反射されるため、各側壁部１２１，１２３，１２４から出射される光の割合が減り、より効率よくレンズ部１１８，１１９，１２０より光が出射される。
【００９６】
レンズカバー１１７の背面側において、各レンズ部１１８，１１９，１２０の境界部に沿ってリブ１２６，１２７が突設されている。このため、ＬＥＤ４３からの光がリブ１２６，１２７によって反射されるため、レンズ部１１８，１１９，１２０の長手方向と交差する方向へ光が拡散されにくく、より効率よくレンズ部１１８，１１９，１２０より光が出射される。また、遊技者はリブ１２６，１２７によって反射した光も視認することとなる。結果として、遊技者に視認される光の態様が多様化され、光による装飾効果が増す。
【００９７】
中レンズ部１１９の入射面側には、その長手方向に沿って複数の線状溝部１１９ａ，１１９ｂ，１１９ｃが形成されているため、さらに光が中レンズ部１１９の長手方向と交差する方向へは拡散されにくくなる。
【００９８】
各レンズ部１１８，１１９，１２０は、その長手方向に対する横断面形状が凸状となる凸レンズであって、前記凸レンズの表面が断面略円弧形状に構成されている。このため、遊技者が各レンズ１１８，１１９，１２０をどの角度から見ても、ほぼ同じように光を視認することができる。
【００９９】
尚、上述した実施の形態の記載内容に限定されず、例えば次のように実施してもよい。
【０１００】
（ａ）上記実施の形態では、レンズカバー１１７及び透光パネル３１，１１５によって、ステージ部１４５へ遊技球Ｂを案内可能な球案内流路が構成されている。これに限らず、球案内流路を設けない構成としてもよい。また、センターフレーム２１とは別部位、例えば遊技盤５面上や前面枠３に透光カバーとしてのレンズカバーと、照射手段としてのＬＥＤ等とを設けた構成としてもよい。
【０１０１】
（ｂ）上記実施の形態では、前パネル３２及び後パネル３３に設けられた直線状凸部３５は、その断面形状が略半円形状となっているが、これに限らず、断面多角形状となる多面プリズムを採用してもよい。
【０１０２】
（ｃ）各レンズ部１１８，１１９，１２０は、凸レンズに代えて、凹レンズでもよい。
【０１０３】
（ｄ）上記実施の形態では、右レンズ部１１８、中レンズ部１１９、左レンズ部１２０の順に（窓枠部２４により近いレンズ部の方が）より後方に位置するように構成されている。これに限らず、各レンズ部１１８，１１９，１２０の前後方向の位置関係が同じになるように構成してもよい。
【０１０４】
（ｅ）上記実施の形態では、各レンズ部１１８，１１９，１２０は、窓枠部２４の周縁部の周方向に沿って延在し湾曲している。これに限らず、略直線状に設けられた構成としてもよい。また、周方向と交差する方向に延在するような構成としてもよい。例えば窓枠部２４から放射状に延びるように複数のレンズ部が設けられた構成としてもよい。
【０１０５】
（ｆ）上記実施の形態では、レンズカバー１１７の左側部において、左側壁部１２１が形成されるとともに、レンズカバー１１７の前面側において、各レンズ部１１８，１１９，１２０の各境界部に沿って側壁部１２３，１２４が形成され、各側壁部１２１，１２３，１２４には、前後方向に延びる複数の線状凸部１２２が形成されている。これに限らず、各側壁部１２１，１２３，１２４を設けない構成としてもよい。
【０１０６】
また、各側壁部１２１，１２３，１２４において線状凸部１２２を設けない構成としてもよし、線状凸部１２２に代えて、線状凹部を設けた構成としてもよい。上記実施の形態では、複数の線状凸部１２２が並行して前後方向に延びるように形成されている。これに限らず、側壁部１２１，１２３，１２４のいずれか少なくとも１つにおいて、光抑制手段としての複数の略半球状の凸部又は凹部を設けた構成としてもよし、ランダムに又は格子状に交差する複数の線状凸部又は線状凹部を設けた構成としてもよい。
【０１０７】
（ｇ）レンズカバー１１７の背面側において、各レンズ部１１８，１１９，１２０の境界部に沿ってリブ１２６，１２７が突設されているが、これに限らず、リブ１２６，１２７を設けない構成としてもよい。
【０１０８】
（ｈ）上記実施の形態では、各レンズ部１１８，１１９，１２０は、下方に向かうにつれ先細りしているが、これに限らず、その長手方向に沿って幅が一定であってもよいし、下方に向かうにつれ幅が広くなっていく構成としてもよい。
【０１０９】
（ｉ）装飾カバー１３８によって本実施の形態における透光カバーが構成されるとともに、左透光パネル３８及び発光部としての複数のＬＥＤ４３を有する左側部ＬＥＤ基板４６によって本実施の形態における照射手段が構成されることとしてもよい。
【０１１０】
（ｊ）本発明は、上記実施の形態とは異なるタイプのパチンコ機等にも適用できる。また、パチンコ機以外にも、雀球、スロットマシン、パチンコ機とスロットマシンとを融合させた遊技機等の各種遊技機として実施することも可能である。
【０１１１】
なお、スロットマシンの基本構成としては、「複数の識別図柄からなる識別図柄列を変動表示した後に識別図柄を確定表示する表示手段としてのリールを備え、遊技者が始動用操作手段としてのスタートレバーを叩き、リールが回転することにより識別図柄が変動し、遊技者が停止用操作手段としてのストップボタンを押すことによって、又は、所定時間が経過することによってリールが停止し、識別図柄が特定の停止態様（組合せ）で停止表示されることを必要条件として遊技者に有利な特別遊技価値（大当たり状態）を付与する遊技価値付与手段とを備えた遊技機」となる。この場合、遊技媒体はコイン、メダル等が代表例として挙げられる。
【０１１２】
パチンコ機とスロットマシンとを融合させた遊技機の基本構成としては、「複数の識別図柄からなる識別図柄列を変動表示した後に識別図柄を確定表示する表示手段としてのリールを備え、遊技者が始動用操作手段としてのスタートレバーを叩き、リールが回転することにより識別図柄が変動し、遊技者が停止用操作手段としてのストップボタンを押すことによって、又は、所定時間が経過することによってリールが停止し、識別図柄が特定の停止態様（組合せ）で停止表示されることを必要条件として遊技者に有利な特別遊技価値（大当たり状態）を付与する遊技価値付与手段とを備え、遊技媒体として遊技球を使用するとともに、識別図柄の変動開始に際しては所定数の遊技球を必要とし、特別遊技価値としての大当たり状態の発生に際しては多くの遊技球が払い出されるよう構成されてなる遊技機」となる。
【図面の簡単な説明】
【図１】一実施の形態におけるパチンコ機を示す正面図である。
【図２】センターフレームを示す斜視図である。
【図３】センターフレームを示す正面分解斜視図である。
【図４】センターフレームを示す背面分解斜視図である。
【図５】直線状凸部を示す図である。
【図６】駆動伝達部材等を示す図である。
【符号の説明】
１…遊技機としてのパチンコ機、５…遊技盤、１３…作動チャッカー、１４…可変表示装置、２０…表示部としての液晶表示部、２１…特定遊技部材としてのセンターフレーム、２２…前ベース枠、２３…後ベース枠、３１…照射手段を構成する右透光パネル、４３…発光部を構成するＬＥＤ、４４…照射手段を構成する右側部ＬＥＤ基板、４７…照射手段を構成する右上側部ＬＥＤ基板、１１５…照射手段を構成する右上透光パネル、１１７…透光カバーを構成するレンズカバー、１１８…右レンズ部、１１９…中レンズ部、１１９ａ，１１９ｂ，１１９ｃ…線状溝部、１２０…左レンズ部、１２１…左側壁部、１２２…光抑制手段を構成する線状凸部、１２３…段差部を構成する中側壁部、１２４…段差部を構成する右側壁部、１２６…右リブ、１２７…左リブ、１２８…右溝部、１２９…中溝部、１３０…左溝部、１３３…誘導リブ、１３４…規制リブ、１４５…転動部を構成するステージ部、Ｂ…遊技球。
【図１】
2004057265.tif 000003
【図２】
2004057265.tif 000004
【図３】
2004057265.tif 000005
【図４】
2004057265.tif 000006
【図５】
2004057265.tif 000007
【図６】
2004057265.tif 000008